【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
固体ポリエステル−ポリウレタンポリマーを含む加水分解安定性ポリエステルポリウレタンナノ複合材であって、該固体ポリエステル−ポリウレタンポリマーは、該ポリエステルポリウレタンナノ複合材の重量に基づいて、０．１〜１５重量％のプロトンスカベンジャーナノ粒子を実質的に分散されている形態で含み、該プロトンスカベンジャーナノ粒子は、２０ｍ２／ｇより大きい窒素ＢＥＴ表面積を特徴とし、該プロトンスカベンジャーは、カルシウム、マグネシウム、および／またはストロンチウムの炭酸塩を含み、該ポリエステルポリウレタンポリマーが、ポリイソシアネートと、エステル含有多官能性イソシアネート反応性化合物と、水分散性強化化合物との反応生成物である、ポリエステルポリウレタンナノ複合材。
【請求項２】
前記炭酸塩は、炭酸カルシウムを含み、前記固体ポリエステルポリウレタンポリマーが、塗料、フィルム、接着剤または造形品の形態である、請求項１に記載のポリエステルポリウレタンナノ複合材。
【請求項３】
前記プロトンスカベンジャーナノ粒子が、微粉砕または剥離によって形成される、請求項１に記載のポリエステルポリウレタンナノ複合材。
【請求項４】
前記プロトンスカベンジャーナノ粒子の粒子サイズが、前記固体ポリエステルポリウレタンが本質的に透明であるように十分に小さいものである、請求項１に記載のポリエステルポリウレタンナノ複合材。
【請求項５】
前記水分散性強化化合物は、カルボキシル基をプレポリマーに組み込む型のものである、請求項１に記載のポリエステルポリウレタンナノ複合材。
【請求項６】
前記エステル含有多官能性イソシアネート反応性化合物が、ポリオールである、請求項５に記載のポリエステルポリウレタンナノ複合材。
【請求項７】
前記ポリエステルポリウレタンが連鎖延長される、請求項５に記載のポリエステルポリウレタン複合材。
【請求項８】
加水分解安定性ポリエステルポリウレタンナノ複合材の水性分散液であって、該水性分散液は、水と、ポリエステルポリウレタンと、０．１〜１５重量％の実質的に分散されているプロトンスカベンジャーナノ粒子とを含み、該プロトンスカベンジャーナノ粒子は、２０ｍ２／ｇより大きい窒素ＢＥＴ表面積を特徴とし、そして該プロトンスカベンジャーは、カルシウム、マグネシウム、および／またはストロンチウムの炭酸塩を含み、該重量％は、水および溶媒媒体を除く加水分解安定性ポリエステルポリウレタンナノ複合材の重量に基づくものであり、該ポリエステルポリウレタンが、ポリイソシアネートと、エステル含有多官能性イソシアネート反応性化合物と、水分散性強化化合物との反応生成物である、水性分散液。
【請求項９】
前記プロトンスカベンジャーナノ粒子が、剥離および／またはミリングによって形成される、請求項８に記載の水性分散液。
【請求項１０】
前記プロトンスカベンジャーナノ粒子の粒子サイズが、前記水性分散液の乾燥後に前記固体ポリエステルポリウレタンが可視光に対して本質的に透明であるように十分に小さいものである、請求項８に記載の水性分散液。
【請求項１１】
前記水分散性強化化合物は、カルボキシル基をプレポリマーに組み込む型のものである、請求項８に記載の水性分散液。
【請求項１２】
前記エステル含有多官能性イソシアネート反応性化合物が、ポリオールである、請求項１１に記載の水性分散液。
【請求項１３】
前記ポリエステルポリウレタンが、プレポリマーである、請求項８に記載の水性分散液。
【請求項１４】
前記ポリエステルポリウレタンが、連鎖延長される、請求項８に記載の水性分散液。
【請求項１５】
既に実質的に分散されている形態の、カルシウム、マグネシウム、および／またはストロンチウムの炭酸塩であるプロトンスカベンジャーナノ粒子が、
（ａ）ポリエステル−ポリウレタンポリマーを形成するために使用されるプレポリマーであって、水性分散液を形成するために水と合わせる前のこのプレポリマー、
（ｂ）水と合わせて水性プレポリマー分散液を形成した後のこのプレポリマー、
（ｃ）このプレポリマーを形成する１つ以上の成分、
（ｄ）このプレポリマーを連鎖延長することにより形成されたポリエステル−ポリウレタンポリマーの水性分散液、
（ｅ）水に分散されている場合のポリエステル−ポリウレタン、および
（ｆ）これらの組み合わせ
のうちの少なくとも１つと合わせられて、ポリエステルポリウレタンナノ複合材が形成され、該カルシウム、マグネシウム、および／またはストロンチウムの炭酸塩は、水および溶媒媒体を除くポリエステルポリウレタンナノ複合材の重量に基づき、０．１〜１５重量％で存在する、請求項８に記載の水性分散液を作製するためのプロセス。
【請求項１６】
水と、実質的に分散されている形態のポリエステルポリウレタンと、実質的に分散されているプロトンスカベンジャーナノ粒子とを含む、水性分散液を作製するためのプロセスであって、該プロトンスカベンジャーナノ粒子は、２０ｍ２／ｇより大きい窒素ＢＥＴ表面積を特徴とし、そして該プロトンスカベンジャーは、炭酸塩であり、該ポリエステルポリウレタンが、ポリイソシアネートと、エステル含有多官能性イソシアネート反応性化合物と、水分散性強化化合物との反応生成物であり、前記ナノ粒子より大きい粒子サイズを有する粒子および／または凝集物の形態のプロトンスカベンジャーを含む予備材料が、（ａ）ポリエステル−ポリウレタンポリマーを形成するために使用されるプレポリマーであって、水性分散液を形成するために水と合わせる前のこのプレポリマー、（ｂ）水性プレポリマー分散液を形成するために水と合わせた後のこのプレポリマー、（ｃ）このプレポリマーまたはポリウレタンナノ複合材を形成する１つ以上の成分、および（ｄ）これらの組み合わせのうちの少なくとも１つの存在下で微粉砕される、プロセス。
【請求項１７】
前記プロトンスカベンジャーナノ粒子が、少なくとも３０ｍ２／ｇの窒素ＢＥＴ表面積を特徴とする、請求項１に記載のポリエステルポリウレタンナノ複合材。
【請求項１８】
前記プロトンスカベンジャーナノ粒子が、１００ナノメートル未満の一次微結晶サイズＤ５０を特徴とする、請求項１に記載のポリエステルポリウレタンナノ複合材。
【請求項１９】
前記プロトンスカベンジャーナノ粒子が、１００ナノメートル未満の一次微結晶サイズＤ５０を特徴とする、請求項８に記載の水性分散液。
【請求項２０】
固体ポリエステル−ポリウレタンポリマーを含む加水分解安定性熱可塑性ポリエステルポリウレタンナノ複合材であって、該固体ポリエステル−ポリウレタンポリマーは、０．１〜１５重量％のプロトンスカベンジャーナノ粒子を実質的に分散されている形態で含み、該プロトンスカベンジャーナノ粒子は、２０ｍ２／ｇより大きい窒素ＢＥＴ表面積を特徴とし、該プロトンスカベンジャーは、カルシウム、マグネシウム、および／またはストロンチウムの炭酸塩を含み、そして該ポリエステルポリウレタンナノ複合材は、該ポリエステルポリウレタンナノ複合材が可視光に対して透明であるように十分に小さい該プロトンスカベンジャーナノ粒子の粒子サイズにより特徴付けられる、ポリエステルポリウレタンナノ複合材。
【請求項２１】
固体ポリエステル−ポリウレタンポリマーを含む加水分解安定性ポリエステルポリウレタンナノ複合材であって、該固体ポリエステル−ポリウレタンポリマーはプロトンスカベンジャーナノ粒子を実質的に分散されている形態で含み、該プロトンスカベンジャーナノ粒子は、２０ｍ２／ｇより大きい窒素ＢＥＴ表面積を特徴とし、そして該プロトンスカベンジャーは、Ｃａおよび／またはＭｇのケイ酸塩からなる、ポリエステルポリウレタンナノ複合材。
【請求項２２】
前記プロトンスカベンジャーナノ粒子が、１００ナノメートル未満の一次微結晶サイズＤ９０を特徴とする、請求項１に記載のポリエステルポリウレタンナノ複合材。
【手続補正２】
【補正対象書類名】明細書
【補正対象項目名】０００６
【補正方法】変更
【補正の内容】
【０００６】
加えて、本発明は、そのような分散液を作製するための他のプロセスも提供し、このプロセスでは、前記実質的に分散されているナノ粒子より大きい粒子サイズを有する粒子および／または凝集物の形態のプロトンスカベンジャーを含む予備材料を、（ａ）このポリエステル−ポリウレタンポリマーを形成するために使用されるプレポリマーであって、水性分散液を形成するために水と合わせる前のこのプレポリマー、（ｂ）水性プレポリマー分散液を形成するために水と合わせた後のまたは合わせている最中のこのプレポリマー、（ｃ）このプレポリマーを形成する１つ以上の成分、および（ｄ）これらの組み合わせのうちの少なくとも１つの存在下で微粉砕する。
本発明は、例えば以下の項目を提供する。
（項目１）
固体ポリエステル−ポリウレタンポリマーを含む加水分解安定性ポリエステルポリウレタンナノ複合材であって、該固体ポリエステル−ポリウレタンポリマーは、２０ｍ２／ｇより大きい窒素ＢＥＴ表面積を望ましくは特徴とするプロトンスカベンジャーナノ粒子を実質的に分散されている形態で含有する、ポリエステルポリウレタンナノ複合材。
（項目２）
前記固体ポリエステルポリウレタンが、塗料、フィルム、接着剤または造形品の形態である、項目１に記載のポリエステルポリウレタンナノ複合材。
（項目３）
前記プロトンスカベンジャーナノ粒子が、無機のものである、項目１または２に記載のポリエステルポリウレタンナノ複合材。
（項目４）
前記プロトンスカベンジャーナノ粒子が、少なくとも１つの炭酸塩を含む、項目３に記載のポリエステルポリウレタンナノ複合材。
（項目５）
前記プロトンスカベンジャーナノ粒子が、炭酸カルシウムである、項目４に記載のポリエステルポリウレタンナノ複合材。
（項目６）
前記プロトンスカベンジャーナノ粒子が、微粉砕または剥離によって形成される、前記項目のいずれか一項に記載のポリエステルポリウレタンナノ複合材。
（項目７）
前記プロトンスカベンジャーナノ粒子の粒子サイズが、前記固体ポリエステルポリウレタンが本質的に透明であるように十分に小さいものである、前記項目のいずれか一項に記載のポリエステルポリウレタンナノ複合材。
（項目８）
前記ポリエステルポリウレタンが、ポリイソシアネートと、エステル含有多官能性イソシアネート反応性化合物と、水分散性強化化合物との反応生成物である、前記項目のいずれか一項に記載のポリエステルポリウレタンナノ複合材。
（項目９）
前記エステル含有多官能性イソシアネート反応性化合物が、ポリオールである、項目８に記載のポリエステルポリウレタンナノ複合材。
（項目１０）
連鎖延長される、項目８または９に記載のポリエステルポリウレタン。
（項目１１）
加水分解安定性ポリウレタンナノ複合材の水性分散液であって、水と、ポリエステルポリウレタンと、２０ｍ２／ｇより大きい窒素ＢＥＴ表面積を望ましくは特徴とする実質的に分散されているプロトンスカベンジャーナノ粒子とを含む、水性分散液。
（項目１２）
前記プロトンスカベンジャーナノ粒子が、無機のものである、項目１１に記載の水性分散液。
（項目１３）
前記プロトンスカベンジャーナノ粒子が、少なくとも１つの炭酸塩を含む、項目１１または１２に記載の水性分散液。
（項目１４）
前記プロトンスカベンジャーナノ粒子が、炭酸カルシウムである、項目１３に記載の水性分散液。
（項目１５）
前記プロトンスカベンジャーナノ粒子が、剥離および／またはミリングによって形成される、項目１１から１４のいずれか一項に記載の水性分散液。
（項目１６）
前記プロトンスカベンジャーナノ粒子の粒子サイズが、前記固体ポリエステルポリウレタンが可視光に対して本質的に透明であるように十分に小さいものである、項目１１から１５のいずれか一項に記載の水性分散液。
（項目１７）
前記ポリエステルポリウレタンが、ポリイソシアネートと、エステル含有多官能性イソシアネート反応性化合物と、水分散性強化化合物との反応生成物である、項目１１から１６のいずれか一項に記載の水性分散液。
（項目１８）
前記エステル含有多官能性イソシアネート反応性化合物が、ポリオールである、項目１７に記載の水性分散液。
（項目１９）
前記ポリエステルポリウレタンが、プレポリマーである、項目１１から１７のいずれか一項に記載の水性分散液。
（項目２０）
前記ポリエステルポリウレタンが、連鎖延長される、項目１１から１７のいずれか一項に記載の水性分散液。
（項目２１）
既に実質的に分散されている形態のプロトンスカベンジャーナノ粒子を、
（ａ）ポリエステル−ポリウレタンポリマーを形成するために使用されるプレポリマーであって、水性分散液を形成するために水と合わせる前のこのプレポリマー、
（ｂ）水と合わせて水性プレポリマー分散液を形成した後のこのプレポリマー、
（ｃ）このプレポリマーを形成する１つ以上の成分、
（ｄ）このプレポリマーを連鎖延長することにより形成されたポリエステル−ポリウレタンポリマーの水性分散液、
（ｅ）水に分散されているポリエステル−ポリウレタン、および
（ｆ）これらの組み合わせ
のうちの少なくとも１つと合わせる、項目１１から２０のいずれか一項に記載の水性分散液を作製するためのプロセス。
（項目２２）
既に実質的に分散されている形態のプロトンスカベンジャーナノ粒子を、前記プレポリマーを形成する成分と合わせる、項目２１に記載のプロセス。
（項目２３）
既に実質的に分散されている形態のプロトンスカベンジャーナノ粒子を、前記プレポリマー自体と、該プレポリマーを形成した後であるが、水と合わせて水性分散液を形成する前に合わせる、項目２１に記載のプロセス。
（項目２４）
既に実質的に分散されている形態のプロトンスカベンジャーナノ粒子を、前記プレポリマーと、（ａ）該プレポリマーを水と合わせて水性プレポリマー分散液を形成した後であるが連鎖延長前に合わせるか、または（ｂ）該プレポリマーを水に分散させている最中に合わせる、項目２１に記載のプロセス。
（項目２５）
既に実質的に分散されている形態のプロトンスカベンジャーナノ粒子を、前記プレポリマーと、該プレポリマーを水と合わせて水性プレポリマー分散液を形成し、連鎖延長した後に合わせる、項目２１に記載のプロセス。
（項目２６）
既に実質的に分散されている形態の前記プロトンスカベンジャーナノ粒子が、酸性ガスを金属塩基と合わせて有機媒体に可溶性または分散性の高塩基性潤滑添加剤を形成する過塩基性化技術によって作製される、項目２１から２５のいずれか一項に記載のプロセス。
（項目２７）
既に実質的に分散されている形態の前記プロトンスカベンジャーナノ粒子が、沈降、結晶化、再結晶、化学蒸着またはプラズマガスプロセスによって作製される、項目２１から２５のいずれか一項に記載のプロセス。
（項目２８）
既に実質的に分散されている形態の前記プロトンスカベンジャーナノ粒子が、微粉砕によって作製される、項目２１から２５のいずれか一項に記載のプロセス。
（項目２９）
既に実質的に分散されている形態の前記プロトンスカベンジャーナノ粒子が、ボールミリングによって作製される、項目２８に記載のプロセス。
（項目３０）
既に実質的に分散されている形態の前記プロトンスカベンジャーナノ粒子が、キャビテーションによって作製される、項目２８に記載のプロセス。
（項目３１）
既に実質的に分散されている形態の前記プロトンスカベンジャーナノ粒子が、超音波処理によって作製される、項目２８に記載のプロセス。
（項目３２）
既に実質的に分散されている形態の前記プロトンスカベンジャーナノ粒子が、剥離によって作製される、項目２１から２５のいずれか一項に記載のプロセス。
（項目３３）
前記ナノ粒子より大きい粒子サイズを有する粒子および／または凝集物の形態のプロトンスカベンジャーを含む予備材料が、（ａ）ポリエステル−ポリウレタンポリマーを形成するために使用されるプレポリマーであって、水性分散液を形成するために水と合わせる前のこのプレポリマー、（ｂ）水性プレポリマー分散液を形成するために水と合わせた後のこのプレポリマー、（ｃ）このプレポリマーまたはポリウレタンナノ複合材を形成する１つ以上の成分、および（ｄ）これらの組み合わせのうちの少なくとも１つの存在下で微粉砕される、項目１１から２０のいずれか一項に記載の水性分散液を作製するためのプロセス。
（項目３４）
前記予備材料が、前記プレポリマーを形成する成分の存在下または該プレポリマーが分散される水性相の成分の１つの存在下で微粉砕される、項目３３に記載のプロセス。
（項目３５）
前記予備材料が、前記プレポリマーであって、該プレポリマーを形成した後であるが、該プレポリマーを水と合わせて水性分散液を形成する前の、プレポリマー自体の存在下で微粉砕される、項目３３に記載のプロセス。
（項目３６）
前記予備材料が、前記プレポリマーであって、該プレポリマーを水と合わせて水性プレポリマー分散液を形成した後のプレポリマーの存在下で微粉砕される、項目３３に記載のプロセス。
（項目３７）
前記プロトンスカベンジャーナノ粒子が、少なくとも３０ｍ２／ｇの窒素ＢＥＴ表面積を特徴とする、項目１に記載のポリエステルポリウレタンナノ複合材。
（項目３８）
前記プロトンスカベンジャーナノ粒子が、１００ナノメートル未満の一次微結晶サイズＤ５０を特徴とする、項目１に記載のポリエステルポリウレタンナノ複合材。
（項目３９）
前記プロトンスカベンジャーナノ粒子が、１００ナノメートル未満の一次微結晶サイズＤ９０を特徴とする、項目１に記載のポリエステルポリウレタンナノ複合材。
（項目４０）
前記プロトンスカベンジャーナノ粒子が、５０ナノメートル未満の一次微結晶サイズＤ５０を特徴とする、項目１に記載のポリエステルポリウレタンナノ複合材。
（項目４１）
前記プロトンスカベンジャーナノ粒子が、５０ナノメートル未満の一次微結晶サイズＤ９０を特徴とする、項目１に記載のポリエステルポリウレタンナノ複合材。
（項目４２）
前記プロトンスカベンジャーナノ粒子が、１００ナノメートル未満の一次微結晶サイズＤ５０を特徴とする、項目１１に記載の水性分散液。
（項目４３）
前記プロトンスカベンジャーナノ粒子が、１００ナノメートル未満の一次微結晶サイズＤ９０を特徴とする、項目１１に記載の水性分散液。
（項目４４）
前記プロトンスカベンジャーナノ粒子が、５０ナノメートル未満の一次微結晶サイズＤ５０を特徴とする、項目１１に記載の水性分散液。
（項目４５）
前記プロトンスカベンジャーナノ粒子が、５０ナノメートル未満の一次微結晶サイズＤ９０を特徴とする、項目１１に記載の水性分散液。